(57)【要約】【課題】樹脂成型品特有の樹脂ヒケという現象の性能への悪影響を大幅に低減して安定した品質を得ることのできる電気掃除機を提供する。【解決手段】本体内に集塵部４を設けた電気掃除機で、集塵部４の蓋体６に対して仕切りパッキン部１３ｂを保持するために設けた貫通部を隔壁４ａに当接する位置からずらした位置に設けた構成としてあり、貫通パッキンで発生する樹脂ヒケが隔壁４ａと仕切りパッキン部１３ｂとの間の遮断性能に直接影響を及ぼすことがなく、安定した気密性能を得ることができる。【選択図】図２
2007037611.tif 000002
【特許請求の範囲】
【請求項１】
電動送風機を収納する本体と、前記電動送風機の吸引力によって吸引した塵埃を集塵する集塵部と、この集塵部を開閉する蓋体と、前記蓋体に設けたパッキンとを備え、前記パッキンと集塵部の壁との接触によって密閉性を確保する電気掃除機であって、前記パッキンは蓋体に取付けるための貫通部を有し、当該貫通部は前記集塵部の壁が接する部分の両側に千鳥状に形成した電気掃除機。
【請求項２】
両側の貫通部は、一方の貫通部の終端が他方の貫通部の始端と略同一位置となるように千鳥状に設けたことを特徴とする請求項１記載の電気掃除機。
【請求項３】
パッキンは硬軟少なくとも２種類の材料から成る部位が一体的に構成されたものであって、硬質側樹脂に貫通部を設けて当該硬質側樹脂を蓋体に取付けると共に軟質側樹脂を集塵部の壁に接する構成とした請求項１又は２記載の電気掃除機。
【発明の詳細な説明】
【技術分野】
【０００１】
本発明は、電気掃除機、特に集塵部の蓋体に密閉性を保つためのパッキンを設けたものに関するものである。
【背景技術】
【０００２】
従来のこの種の電気掃除機としては、集塵室の密閉性は重要であり、通常は図６に示すように蓋体１１９にパッキン１１３を取り付けて密閉性を保っている（例えば、特許文献１参照）。また、このパッキンを異材料インサート成形により一体的に構成したものがある。
【特許文献１】特開２００３−０１９０９５号公報
【発明の開示】
【発明が解決しようとする課題】
【０００３】
しかしながら、図６に示す従来のパッキン１１３は、これが脱落するのを防止するために接着剤を使用したり、インサート成型法を用いて蓋体１１９に一体的に形成したりしていた。しかしながら接着剤の使用はその作業性の低さと均一な接着の品質安定性に課題があり、またインサート成型法を用いた構成においてはパッキン１１３を構成する軟質の材料部分が脱落するのを防止する目的で設けた貫通部の樹脂ヒケなどの影響を受けて密閉性が低下し、そのために、金型に樹脂ヒケを見込んだ修正を加えたり、樹脂ヒケの度合いが変化しないよう、成型条件を厳密に管理する必要があるなどの課題があった。
【０００４】
本発明は、上記従来の課題を解決するものであり、密閉品質の安定した電気掃除機を提供することを目的としている。
【課題を解決するための手段】
【０００５】
上記従来の課題を解決するために、本発明の電気掃除機は、電動送風機を収納する本体と、前記電動送風機の吸引力によって吸引した塵埃を集塵する集塵部と、この集塵部を開閉する蓋体と、前記蓋体に設けたパッキンとを備え、前記パッキンと集塵部の壁との接触によって密閉性を確保する電気掃除機であって、前記パッキンは蓋体に取付けるための貫通部を有し、当該貫通部は前記集塵部の壁が接する部分の両側に千鳥状に形成した構成としてあり、集塵部の壁とパッキンが接する位置での樹脂ヒケが軽減され、電気掃除機の品質を安定させることができる。
【発明の効果】
【０００６】
本発明の電気掃除機は、簡便な手段により樹脂成型品特有の樹脂ヒケという現象の性能への悪影響を大幅に低減することができる。
【発明を実施するための最良の形態】
【０００７】
第１の発明は、電動送風機を収納する本体と、前記電動送風機の吸引力によって吸引した塵埃を集塵する集塵部と、この集塵部を開閉する蓋体と、前記蓋体に設けたパッキンとを備え、前記パッキンと集塵部の壁との接触によって密閉性を確保する電気掃除機であって、前記パッキンは蓋体に取付けるための貫通部を有し、当該貫通部は前記集塵部の壁が接する部分の両側に千鳥状に形成した構成としてあり、集塵部の壁とパッキンが接する位置での樹脂ヒケが軽減され、電気掃除機の品質を安定させることができる。そして、貫通部を集塵部の壁を基準として両側に設けたので、使用者が手入れなどの目的でパッキンに触れるようなことがあっても、めくれるような事がない。
【０００８】
第２の発明は、特に、第１の発明の両側の貫通部は、一方の貫通部の終端が他方の貫通部の始端と略同一位置となるように千鳥状に設けた構成としてあり、貫通部２箇所の樹脂ヒケが間接的に端通部間にあるパッキンの密閉性能の良否に影響を与えることが少なく、性能を安定させることが出来る。
【０００９】
第３の発明は、特に、第１または第２の発明のパッキンは硬軟少なくとも２種類の材料から成る部位が一体的に構成されたものであって、硬質側樹脂に貫通部を設けて当該硬質側樹脂を蓋体に取付けると共に軟質側樹脂を集塵部の壁に接する構成としたものであり、パッキンの蓋体への取付けを堅牢なものにすることができると同時に集塵部の壁との密接性を良好に確保できる。
【００１０】
以下、本発明の実施の形態について、図面を参照しながら説明する。なお、本実施の形態によって本発明が限定されるものではない。
【００１１】
（実施の形態１）
本発明の第１の実施の形態における電気掃除機について、図１〜５を用いて説明する。
【００１２】
図１は本発明の電気掃除機の本体側面図、図２は同電気掃除機の本体集塵部載置部近傍の断面図、図３は同電気掃除機の集塵部の側面図、図４は同電気掃除機の集塵部の蓋体の部位図、図５は同電気掃除機の集塵部の蓋体の断面図である。
【００１３】
図において、１は掃除機の本体である。本体１内部には収納部２が設けられており、その上部がカバー３によって開閉自在に覆われている。収納部２には塵埃を捕集する容器状の集塵部４が着脱自在に収納されている。
【００１４】
集塵部４の前部には本体１に取り付けた際に本体１に設けられた吸気口１ａと連通する位置に開口部５が設けられている。集塵部４の底部には蓋体６が設けられており、後部はヒンジ部６ａを介して集塵部４に回動自在に固定され、前部に設けられたフック部６ｂが集塵部４側に回動自在に保持されたクランプ７によって係止、解除されることで蓋体６を閉状態に保持、あるいは開状態とすることができる。
【００１５】
なお、クランプ７は開口部５の上部に設けた蓋解除ボタン８を押すことによりリンク９を介して解除動作がなされるので、集塵部４内に捕集した塵埃の排出は蓋解除ボタン８を押すことで完了する。また、クランプ７と蓋解除ボタン８は、それぞれバネＡ９とバネＢ１０によって蓋体６を閉状態に保持する向きに付勢されているので、蓋解除ボタン８を押さえるのを止めることでクランプ７は自動的に蓋体６を閉状態に保持する位置に戻り、蓋体６を閉状態まで回動することで再び係止、保持される。
【００１６】
蓋解除ボタン８の操作面８ａは集塵部４の前面側に設けられており、本体１には集塵部４を収納した状態で操作面８ａと相対する部分に壁部１ｂが設けられている。操作面８ａと壁部１ｂの距離ｄは使用者の指の太さ（厚み）に対して充分に狭く設定されている。
【００１７】
また、集塵部４の天面には蓋解除ボタン８の近傍から後方に向かって取っ手部１２が延設される。なお、取っ手部１２の前部１２ａは後部１２ｂに対して低く構成されている。
【００１８】
さて、ここで上記蓋体６はＡＢＳ樹脂にて形成され、硬軟少なくとも２種類の材料から成る部位が一体的に構成されたエラストマー樹脂にて形成されるパッキン１３がインサート成型により一体的に設けられている。パッキン１３は集塵部４の内部と外部を遮断するための外周パッキン部１３ａと集塵部４内部に設けられた大集塵室１４ａと小集塵室１４ｂを仕切る壁４ａに相対する位置に設けられた仕切りパッキン部１３ｂとによって構成される。蓋体６にはパッキン部１３ｂに沿って複数の貫通穴６ｃが設けられており、この中にパッキン１３ｂの一部である貫通パッキン部１３ｃが入り込むことでパッキン１３全体が蓋体６に保持される。貫通部６ｃは壁４ａを挟んで両側に交互に設けられており、貫通部６ｃの長手方向の幅ｗと、隣り合う貫通部６ｃ同志の間隔ｌは略同一として、一方の貫通部の終端が他方の貫通部の始端と略同一位置となるように千鳥状に設けてある。
【００１９】
以上のように構成された電気掃除機について、以下その動作、作用を説明する。
【００２０】
図３において、貫通部６ｃは壁４ａに当接する位置からずらした位置であって、壁４ａの両側に千鳥状に設けているので、貫通パッキンぶ１３ｃで発生する樹脂ヒケが壁４ａと仕切りパッキン部１３ｂとの間の遮断性能に直接影響を及ぼすことがない。
【００２１】
また、図４のように貫通部６ｃの長手方向の幅ｗと、隣り合う貫通部６ｃの間隔ｌはｗ≒ｌの関係となっており、それらを壁４ａを挟んで交互に配していることから、仕切りパッキン部１３ｂは貫通パッキン部１３ｃで発生する樹脂ヒケによって壁４ａの両側から引っ張られることがなく、また引っ張られる程度は仕切りパッキン部１３ｂの長手方向全長に渡ってほぼ均一の状態を保つことが出来るので、貫通パッキン部１３ｃで発生する樹脂ヒケが壁４ａと仕切りパッキン部１３ｂとの間の遮断性能に間接的に与える影響を小さくすることが出来る。
【００２２】
なお、上記実施の形態では、貫通部６ｃは集塵部４内部に設けられた大集塵室１４ａと小集塵室１４ｂを仕切る壁４ａに相対する位置に設けた場合のみで説明したが、必要に応じて集塵部４の外周へ区と対抗する全周部分に設けても良いものである。また、この実施の形態では着脱式の集塵部を持つ電気掃除機を例に説明したが、本発明は特にそのような電気掃除機に限定されるものではなく、本体に集塵部を内蔵した電気掃除機で蓋体が本体に開閉自在に固定されたものや、蓋体が着脱式のものなどにも応用できる事は言うまでもない。
【産業上の利用可能性】
【００２３】
以上のように、本発明にかかる電気掃除機は、簡便な手段により安定した性能を得ることができるので、各種家庭用、業務用電気掃除機等に広く適用できる。
【図面の簡単な説明】
【００２４】
【図１】本発明の実施の形態１における電気掃除機の本体側面図
【図２】同電気掃除機の集塵部近傍の断面図
【図３】同電気掃除機の集塵部の側面図
【図４】同電気掃除機の集塵部の蓋体の平面図
【図５】同電気掃除機の集塵部の蓋体の腰部拡大断面図
【図６】従来の電気掃除機の集塵部と蓋体とを示す断面図
【符号の説明】
【００２５】
１      本体
１ｂ    壁部
４      集塵部
６      蓋体
６ｃ    貫通部
１３ｂ  仕切りパッキン部
１３ｃ  貫通パッキン部
【図１】
2007037611.tif 000003
【図２】
2007037611.tif 000004
【図３】
2007037611.tif 000005
【図４】
2007037611.tif 000006
【図５】
2007037611.tif 000007
【図６】
2007037611.tif 000008